(57)【要約】【課題】オペレータが座席に着座した状態で足を置くステップに乗降用補助ステップを設けていない作業車両において、顧客から補助ステップを取付けたいとする要望があった場合、補助ステップを後付けできるようにする。【解決手段】ステップ１３Ｒの下面１３ａ及び縁辺１３ｂに接した状態で固定される平面視でＬ字状の支持部材５１を設け、その一辺５１ａをステップ１３Ｒの縁辺１３ｂに固定する一方、他辺５１ｂに乗降用補助ステップ３３Ｒの一側基端部Ａを固定する。また、乗降用補助ステップ３３Ｒの他側基端部Ｂを運転ステップ１３Ｒ及びフェンダー１４Ｒとボルトで共締め固定する。【選択図】      図３
2004243802.tif 000002
【特許請求の範囲】
【請求項１】
ステップ（１３Ｒ）下部側方に突設する乗降用補助ステップ（３３Ｒ）の取付け構造であって、前記ステップ（１３Ｒ）の下面（１３ａ）及び縁辺（１３ｂ）に接した状態で支持部材（５１）を固定する一方、当該支持部材（５１）に少なくとも乗降用補助ステップ（３３Ｒ）の一側基端部（Ａ）を固定することを特徴とする作業車両における乗降用補助ステップの取付け構造。
【発明の詳細な説明】
【０００１】
【発明の属する技術分野】
本発明は、農業用トラクタ等の作業車両における乗降用補助ステップの取付け構造に関するものである。
【０００２】
【従来の技術】
従来の農業用トラクタにおいては、オペレータが座席に着座した状態で足を置くステップを、クラッチハウジングとミッションケースから延出させた前後一対の強固な支持アームと、該両支持アームの側方及び後車軸ケース側に固定した補強フレーム上に載置すると共に、更に左側の補強フレームの側方に乗降用補助ステップを取付けるように構成したものが知られている（例えば、特許文献１参照。）。
【０００３】
また、右側のステップにはフートアクセルペダルやブレーキペダル等が配設されており、これらフートアクセルペダルやブレーキペダルが邪魔になって右側のステップからの乗降頻度は必然的に少なくなるので、可能な限り部品点数を減らして構成される安価タイプの農業用トラクタにおいては、右側のステップに乗降用補助ステップを設けない構成のものが大半を占めている。
【０００４】
【特許文献１】
実公昭６０−３３０７６号公報（第１−２頁、第４図）
【０００５】
【発明が解決しようとする課題】
しかし、前述した右側のステップに乗降用補助ステップを設けていない安価タイプの農業用トラクタは、右側のステップに乗降用補助ステップを取付けるための特別な支持部材を設けておらず、したがって顧客から補助ステップを右側ステップに取付けたいとする要望があった場合は、速やかに対応することができないという問題を有していた。
【０００６】
【課題を解決するための手段】
本発明は、上記課題を解決することを目的として創案したものであり、ステップ下部側方に突設する乗降用補助ステップの取付け構造であって、前記ステップの下面及び縁辺に接した状態で支持部材を固定する一方、当該支持部材に少なくとも乗降用補助ステップの一側基端部を固定することを特徴としている。
【０００７】
【発明の実施の形態】
本発明の実施形態を以下添付図面に基づいて詳細に説明する。図１は、本発明における農業用トラクタの左側面図であって、該農業用トラクタ１は、左右の前輪２，２及び後輪３，３を有する車体４の前部に、エンジン５及びラジエータ（不図示）等からなる原動機部をボンネット６で覆った状態で配設すると共に、その後方にハンドル７及び座席８等からなる操縦部９を設けている。
【０００８】
前記車体４は、エンジン５の側部に取付けるシャーシフレーム１０と、エンジン５に連結するクラッチハウジング部１１ａを備えた中間伝動ケース１１と、該中間伝動ケース１１に連結するミッションケース１２等から構成されると共に、図２に示すように中間伝動ケース１１の両側には、オペレータが座席８に着座した状態で足を置く左右のステップ１３Ｌ，１３Ｒを設けている。
また、前記左右のステップ１３Ｌ，１３Ｒの後部からそれぞれフェンダー１４Ｌ，１４Ｒを後方に向けて連設し、左右の後輪３，３の前方及び上方を覆うように構成してある。
【０００９】
そして、前記左右のステップ１３Ｌ，１３Ｒの前部を、ボンネット６で覆われた原動機部と、その後方に配設したダッシュボード２１とを区画する門型状支柱２２の基部ＦＬ，ＦＲに固定すると共に、当該ステップ１３Ｌ，１３Ｒの後部を、左右のフェンダー１４Ｌ，１４Ｒの前端部ＲＬ，ＲＲ及びリヤカバー１５に固定するようにしてある。
【００１０】
更に、左右のステップ１３Ｌ，１３Ｒの略中間部は、中間伝動ケース１１に取付けた支持部材２３Ｌ，２３Ｒに防振ゴム（不図示）を介して下方から支持すると共に、その後方の中間伝動ケース１１の左右両側に突出するボルト２４、２５に嵌挿させた円柱状の防振ゴム２６、２６により下方から支持して、エンジン５からの振動が左右のステップ１３Ｌ，１３Ｒに伝播することを防いでいる。
【００１１】
また、上述した支持部材２３Ｌに防振ゴムを介して支持する左側ステップ１３Ｌの下面には、断面がコの字状の強固な構成の支持プレート３１が横設してあり、該支持プレート３１の外側端部に乗降用補助ステップ３３Ｌの前側基端部Ａをボルトによって固定すると共に、その後側基端部Ｂを、左側ステップ１３Ｌの後部及び左側フェンダー１４Ｌ前端部ＲＬとボルトによって共締め固定することにより、左側ステップ１３Ｌの下部側方に乗降用補助ステップ３３Ｌが突設されるようになっている。
【００１２】
尚、前記左側ステップ１３Ｌ上にはクラッチペダル４１が設けられる一方、右側ステップ１３Ｒ上には左右のブレーキペダル４２，４３及びフートアクセルペダル４４等が設けてある。
【００１３】
次に、本発明の特徴部分、即ち乗降用補助ステップを取付けるための特別な支持部材が設けられていない右側ステップ１３Ｒに、乗降用補助ステップを取付ける際の実施形態を添付図面に基づいて説明する。
即ち、図３は右側ステップ１３Ｒに支持部材５１を介して乗降用補助ステップ３３Ｒを取付けた状態を示す平面図、図４は図３におけるＣ矢視図、図５は図３におけるＤ−Ｄ断面を示した図である。
【００１４】
図３に示すように、支持部材５１は帯状鋼板を曲げ加工して平面視でＬ字プレート状に形成したものであり、その長辺５１ａと短辺５１ｂの上面が右側ステップ１３Ｒの下面１３ａに当接し、且つ長辺５１ａの側面を右側ステップ１３Ｒ外側の折り曲げ加工された縁辺１３ｂに内接させた状態、即ち支持部材５１の曲げ剛性を最も有効に作用させる取付け状態で、当該支持部材５１の長辺５１ａを右側ステップ１３Ｒの縁辺１３ｂにボルト５２，５２及びナット５３，５３を用いて固定するようにしてある。
【００１５】
また、前記乗降用補助ステップ３３Ｒは、図４に示すように鋼板を略Ｕの字状に曲げ加工して一体的に形成したものであり、その剛性を高めるために側方リブ３３ａや、前側基端部Ａ及び後側基端部Ｂの近傍に絞り加工３３ｂ，３３ｂを施すと共に、乗降時に足を掛けるステップ３３ｃには滑り防止用の複数の突起Ｐ・・を設けている。
【００１６】
そして、前記支持部材５１の短辺５１ｂに、乗降用補助ステップ３３Ｒの一側（前側）基端部Ａをボルト５４，５４及びナット５５，５５を用いて固定すると共に、乗降用補助ステップ３３Ｒの他側（後側）基端部Ｂをステップ１３Ｒ、及びフェンダー１４Ｒとボルト５６，５６を用いて共締め固定するように構成してある。
尚、５７，５７は、右側ステップ１３Ｒ後側の折り曲げ加工された縁辺１３ｃの内側に溶接したＰナットである。
【００１７】
即ち、上述した構成によれば、乗降用補助ステップを取付けるための特別な支持部材が設けられていない右側ステップ１３Ｒに、簡単且つ安価な構成のＬ字プレート状の支持部材５１を介して容易に乗降用補助ステップ３３Ｒを取付けることが可能となり、顧客から補助ステップ３３Ｒを右側ステップ１３Ｒに取付けたいとする要望があった場合は、速やかに後付けして対応することができるようになる。
【００１８】
そして、図５に示すように、オペレータが乗降用補助ステップ３３Ｒに足Ｆを載せて乗降する際は、前記支持部材５１は右側ステップ１３Ｒの下面１３ａ及び縁辺１３ｂに接する状態、即ち当該支持部材５１の曲げ剛性を最も有効に作用させる取付け状態に固定されているので、それによって乗降時に乗降用補助ステップ３３Ｒの前側基端部Ａに生じる曲げ及び捩じりモーメントを吸収できるようになっている。
【００１９】
【発明の効果】
以上説明したように本発明は、ステップ１３Ｒ下部側方に突設する乗降用補助ステップ３３Ｒの取付け構造であって、前記ステップ１３Ｒの下面１３ａ及び縁辺１３ｂに接した状態で支持部材５１を固定する一方、当該支持部材５１に少なくとも乗降用補助ステップ３３Ｒの一側基端部Ａを固定することによって、乗降用補助ステップを取付けるための特別な支持部材が設けられていないステップ１３Ｒに、前記支持部材５１を介して容易に乗降用補助ステップ３３Ｒを取付けることが可能になり、顧客から補助ステップ３３Ｒをステップ１３Ｒに取付けたいとする要望があった場合は、速やかに後付けして対応することができるようになる。
【図面の簡単な説明】
【図１】農業用トラクタの左側面図である。
【図２】運転ステップ周辺の構成を示す平面図である。
【図３】右側運転ステップに乗降用補助ステップを取付けた状態を示す平面図である。
【図４】図３におけるＣ矢視図である。
【図５】図３におけるＤ−Ｄ断面図である。
【符号の説明】
１３Ｒ  ステップ
１３ａ  ステップの下面
１３ｂ  ステップの縁辺
３３Ｒ  乗降用補助ステップ
５１    支持部材
５１ａ  支持部材の一辺（長辺）
５１ｂ  支持部材の他辺（短辺）
Ａ      乗降用補助ステップの一側（前側）基端部
【図１】
2004243802.tif 000003
【図２】
2004243802.tif 000004
【図３】
2004243802.tif 000005
【図４】
2004243802.tif 000006
【図５】
2004243802.tif 000007